(57)【要約】【課題】ＨＭＩ装置に関する専門知識を有さない者が、ＨＭＩ装置の監視画面に追加する追加用品と制御装置との対応関係を定めるインタフェース情報を作成できる用品情報追加登録装置を提供する。【解決手段】  インタフェース情報を含む既存のプラント制御管理仕様情報から、画面番号リストと、制御装置番号リストと、追加可能な用品群を予め定めた用品種別リストとを取得する。追加用品の用品番号として、用品番号リストに含まれていない固有の用品番号を生成する。追加用品と制御装置との間で信号を送受信するための送受信アドレスとして、送受信アドレスリストに含まれていない固有の送受信アドレスを生成する。画面番号および用品種別と、生成された固有の用品番号とに基づいて固有の信号名称を生成し、信号名称と生成された固有の送受信アドレスとを関連付けてインタフェース情報を生成する。【選択図】図７
2015130060.tif 000002
【特許請求の範囲】
【請求項１】
プラントを監視するためのヒューマンマシンインタフェース装置（ＨＭＩ装置）と、該プラントを制御するための制御装置とが伝送装置を介して接続され、前記ＨＭＩ装置の監視画面に表示される用品と前記制御装置との対応関係を定めたインタフェース情報に基づいて用品と制御装置との間で信号を送受信するプラント監視制御装置において、前記ＨＭＩ装置の既存の監視画面に新たに用品を追加する場合に、追加する用品と前記制御装置との対応関係を定めるインタフェース情報を追加登録するための用品情報追加登録装置であって、
前記ＨＭＩ装置の監視画面に表示される用品と前記制御装置との対応関係を定めたインタフェース情報を含む既存のプラント制御管理仕様情報から、画面番号リストと、制御装置番号リストと、用品番号リストと、送受信アドレスリストとを抽出する既存情報抽出手段と、
前記画面番号リストと、前記制御装置番号リストと、追加可能な用品群を予め定めた用品種別リストとを含む追加登録画面を表示させる既存情報表示手段と、
前記ＨＭＩ装置の監視画面に追加する追加用品に関して、前記追加登録画面で選択された前記画面番号リスト中の画面番号と、前記制御装置番号リスト中の制御装置番号と、前記用品種別リスト中の用品種別とを取り込む選択データ取込手段と、
前記追加用品の用品番号として、前記用品番号リストに含まれていない固有の用品番号を生成する用品番号生成手段と、
前記追加用品と前記制御装置との間で信号を送受信するための送受信アドレスとして、前記送受信アドレスリストに含まれていない固有の送受信アドレスを生成する送受信アドレス生成手段と、
前記選択データ取込手段により取込まれた画面番号および用品種別と、前記用品番号生成手段により生成された用品番号とに基づいて固有の信号名称を生成し、該信号名称と前記送受信アドレス生成手段により生成された送受信アドレスとを関連付けてインタフェース情報を生成するインタフェース情報生成手段と、
前記選択データ取込手段により取込まれた画面番号と用品種別と制御装置番号と、前記用品番号生成手段により生成された用品番号と、前記インタフェース情報生成手段により生成されたインタフェース情報とを関連付けて前記プラント制御管理仕様情報に追加登録する追加登録手段と、
を備えることを特徴とする用品情報追加登録装置。
【請求項２】
前記追加用品と前記制御装置との間で送受信される信号は、
前記ＨＭＩ装置から前記制御装置に出力される操作信号と、
前記制御装置から前記ＨＭＩ装置に出力される表示信号と、を含み、
前記送受信アドレス生成手段により生成される送受信アドレスは、
前記操作信号を記憶する前記ＨＭＩ装置のメモリアドレスＡと、
前記操作信号を記憶する前記制御装置のメモリアドレスＢと、
前記表示信号を記憶する前記ＨＭＩ装置のメモリアドレスＣと、
前記表示信号を記憶する前記制御装置のメモリアドレスＤと、を含み、
前記インタフェース情報生成手段により生成される信号名称は、
前記メモリアドレスＡおよびＢに関連付く前記操作信号の名称と、
前記メモリアドレスＣおよびＤに関連付く前記表示信号の名称と、を含むこと、
を特徴とする請求項１に記載の用品情報追加登録装置。
【請求項３】
プラント毎に設計された既存のプラント制御管理仕様情報を保存するプラント制御管理仕様情報データベースと、
前記プラント制御管理仕様情報データベースから、前記既存情報抽出手段が用いるプラント制御管理仕様情報を取得すると共に、解除指示が入力されるまでの間、前記プラント制御管理仕様情報データベースに対する該プラント制御管理仕様情報の取得と上書保存を禁止するプラント制御管理仕様情報貸出手段と、
前記プラント制御管理仕様情報貸出手段に前記解除指示を出力し、前記プラント制御管理仕様情報データベースに前記プラント制御管理仕様情報を上書保存するプラント制御管理仕様情報返却手段と、
を更に備えることを特徴とする請求項１又は２に記載の用品情報追加登録装置。
【請求項４】
前記用品情報追加登録装置は、前記ＨＭＩ装置に伝送装置を介して接続され、
前記インタフェース情報から、送受信アドレスと信号名称とを関連付けた情報を抽出し、該情報を前記ＨＭＩ装置が読み込み可能なファイル形式に変換したタグ変数情報を生成するタグ変数情報生成手段と、
前記タグ変数情報生成手段によりタグ変数情報が生成された場合に、前記伝送装置を介して前記ＨＭＩ装置に自動的にインポートするタグ変数情報自動インポート手段と、
を更に備えることを特徴とする請求項１乃至３のいずれか１項に記載の用品情報追加登録装置。
【請求項５】
前記用品情報追加登録装置は、前記制御装置に伝送装置を介して接続され、
前記インタフェース情報から、送受信アドレスと信号名称とを関連付けた情報を抽出し、該情報を前記制御装置が読み込み可能なファイル形式に変換したコントローラ変数情報を生成するコントローラ変数情報生成手段と、
前記コントローラ変数情報生成手段によりコントローラ変数情報が生成された場合に、前記伝送装置を介して前記制御装置に自動的にインポートするコントローラ変数情報自動インポート手段と、
を更に備えることを特徴とする請求項１乃至４のいずれか１項に記載の用品情報追加登録装置。
【発明の詳細な説明】
【技術分野】
【０００１】
この発明は、用品情報追加登録装置に係り、特に、プラントを監視するためのヒューマンマシンインタフェース装置（ＨＭＩ装置）と、プラントを制御するための制御装置とが伝送装置を介して接続され、ＨＭＩ装置の監視画面に表示される用品と制御装置との対応関係を定めたインタフェース情報に基づいて用品と制御装置との間で信号を送受信するプラント監視制御装置において、ＨＭＩ装置の既存の監視画面に新たに用品を追加する場合に、追加する用品と制御装置との対応関係を定めるインタフェース情報を追加登録するための用品情報追加登録装置に関する。
【背景技術】
【０００２】
一般に、鉄鋼プラント等を中心としたプラントの制御監視システムにおいては、主にハードウェア用品により構成される操作盤から受け付けた操作信号に基づいて制御装置がプラントの制御を行うものから、操作画面を有するＨＭＩ（Human Machine Interface）装置から制御装置が操作信号を受け付け、この操作信号に基づいて制御装置がプラントの制御を行うものへと急激な変化を遂げている。
【０００３】
さらに、このようなＨＭＩ装置が適用された制御監視システムにおいては、操業者側によるプラントの制御及び監視の多様な要求仕様に柔軟に対応させるため、ＨＭＩ装置が多機能化し、それに伴って画面仕様も増大している。
【０００４】
例えば、鉄鋼プラントに用いられるＨＭＩ装置を備えた制御・監視システムにおいて、ＨＭＩ装置の画面設計を行う設計者は、画面上に表示される１万点を超える表示部品と数万点におよび操作信号や表示信号等のＨＭＩインタフェース信号の登録を行う必要があり、設計業務の効率向上の手段が切望されていた。
【０００５】
また、ＨＭＩインタフェース信号の割付処理を含むＨＭＩシステム設計作業では、画面構成や制御装置の構成を含めて、設計者の豊富な経験と知識が必要であり、限られた設計者しかこの設計作業を行うことができなかった。
【０００６】
特許文献１には、この設計作業の機械化・自動化の為に、任意の制御プログラムデータを入力することによって、デバイス名取出し手段が制御プログラムデータからデバイス名を取出し、グラフィカルデータ取出し手段がデバイス名取出し手段の取出したデバイス名に対応するデバイスのグラフィカルデータをプラントフローデータ保存手段から取出し、監視画面生成手段が、グラフィカルデータ取出し手段により取出されたグラフィカルデータとデバイス名とを対応させたグラフィカルな監視画面を作成するプラント監視画面作成装置が提案されている。
【先行技術文献】
【特許文献】
【０００７】
【特許文献１】特開平９−２８２０２５号公報
【特許文献２】特開２０１１−８１４３０号公報
【発明の概要】
【発明が解決しようとする課題】
【０００８】
また、昨今のプラントの大規模化に伴って、制御監視システムも大規模化されており、このような大規模プラントの制御・監視システムでは、制御装置とこの制御装置にネットワークを介して接続されるＨＭＩ装置とを備える構成とする場合が多くなっている。
【０００９】
このような構成を有する制御監視システムにおいては、制御装置とＨＭＩ装置との間で、正確に信号（操作信号や表示信号）を伝送する必要がある。そのためには、ＨＭＩ装置の監視画面上の用品と制御装置との間で信号を送受信するための一意のインタフェース情報を定めて、ＨＭＩ装置側と制御装置側にそれぞれ設定する必要がある。具体的には、インタフェース情報には、ＨＭＩ装置の監視画面上の用品と制御装置との間で信号を送受信するための送受信アドレスや、信号とＨＭＩ装置の監視画面上の用品とを関連付ける信号名称が含まれる。
【００１０】
このようなインタフェース情報を各装置に割り付ける作業を設計者が手入力により行う場合、設計者にとって非常に大きな負担となり、膨大な作業時間が必要になると共に、作業ミスの発生の原因となっていた。
【００１１】
特許文献２には、この設計作業の機械化・自動化の為に、ＨＭＩ装置の監視画面情報から、ＨＭＩ装置の監視画面上の用品と制御装置とを関連付ける仕様情報を作成し、これに基づいてインタフェース情報を作成することが記載されている。
【００１２】
この監視画面情報には、用品の監視画面上の座標、色、表示文字列等の用品情報が含まれ、監視画面情報や仕様情報の作成は、主にＨＭＩ装置について専門知識を有するＨＭＩエンジニアにより行われる。また、昨今の制御監視システムの大規模化に伴い、一人のエンジニアがシステム全体の専門知識を有することは難しいため、仕様情報のうち、制御装置に関する箇所については、制御装置について専門知識を有するコントローラエンジニアにより設定される。
【００１３】
ところで、制御監視システムの開発においてＨＭＩ装置の既存の監視画面上に用品を追加する要求仕様の変更が生じる場合がある。要求仕様の変更があった場合、特許文献２の技術では、新たに用品情報を追加した監視画面情報、仕様情報をＨＭＩエンジニアが用意し、これに基づいてインタフェース情報を作成することとなる。しかしながら、ＨＭＩエンジニアが不在の場合など、ＨＭＩエンジニアによるインタフェース情報の作成を待たずに、コントローラエンジニアが制御装置の開発を進めたい場合もある。このような場合、ＨＭＩ装置の専門知識を有さないコントローラエンジニアでも、インタフェース情報に新たな用品を追加できる仕組みが必要となる。
【００１４】
この発明は、上述のような課題を解決するためになされたもので、ＨＭＩ装置に関する専門知識を有さない者であっても、ＨＭＩ装置の既存の監視画面に追加する追加用品と制御装置との対応関係を定めるインタフェース情報を作成することのできる用品情報追加登録装置を提供することを目的とする。
【課題を解決するための手段】
【００１５】
本発明は、上記の目的を達成するため、プラントを監視するためのヒューマンマシンインタフェース装置（ＨＭＩ装置）と、プラントを制御するための制御装置とが伝送装置を介して接続され、ＨＭＩ装置の監視画面に表示される用品と制御装置との対応関係を定めたインタフェース情報に基づいて用品と制御装置との間で信号を送受信するプラント監視制御装置において、ＨＭＩ装置の既存の監視画面に新たに用品を追加する場合に、追加する用品と制御装置との対応関係を定めるインタフェース情報を追加登録するための用品情報追加登録装置であって、
ＨＭＩ装置の監視画面に表示される用品と制御装置との対応関係を定めたインタフェース情報を含む既存のプラント制御管理仕様情報から、画面番号リストと、制御装置番号リストと、用品番号リストと、送受信アドレスリストとを抽出する既存情報抽出手段と、
画面番号リストと、制御装置番号リストと、追加可能な用品群を予め定めた用品種別リストとを含む追加登録画面を表示させる既存情報表示手段と、
ＨＭＩ装置の監視画面に追加する追加用品に関して、追加登録画面で選択された画面番号リスト中の画面番号と、制御装置番号リスト中の制御装置番号と、用品種別リスト中の用品種別とを取り込む選択データ取込手段と、
追加用品の用品番号として、用品番号リストに含まれていない固有の用品番号を生成する用品番号生成手段と、
追加用品と制御装置との間で信号を送受信するための送受信アドレスとして、送受信アドレスリストに含まれていない固有の送受信アドレスを生成する送受信アドレス生成手段と、
選択データ取込手段により取込まれた画面番号および用品種別と、用品番号生成手段により生成された用品番号とに基づいて固有の信号名称を生成し、信号名称と送受信アドレス生成手段により生成された送受信アドレスとを関連付けてインタフェース情報を生成するインタフェース情報生成手段と、
選択データ取込手段により取込まれた画面番号と用品種別と制御装置番号と、用品番号生成手段により生成された用品番号と、インタフェース情報生成手段により生成されたインタフェース情報と、を関連付けてプラント制御管理仕様情報に追加登録する追加登録手段と、を備えることを特徴とする。
【発明の効果】
【００１６】
本発明によれば、ＨＭＩ装置に関する専門知識を有さない者であっても、既存のプラント制御管理仕様情報から抽出したリストから情報を選択することで、ＨＭＩ装置の監視画面に追加する追加用品を容易に定義でき、その追加用品と制御装置との対応関係を定めるインタフェース情報を自動的に作成することができる。
【図面の簡単な説明】
【００１７】
【図１】本発明の実施の形態１に係る用品情報追加登録装置が適用された制御監視システム１０の構成を示す概念構成図である。
【図２】本発明の実施の形態１に係る用品情報追加登録装置６が適用された制御監視システム１０に備えられたＨＭＩ装置２の構成を示す構成図である。
【図３】本発明の実施の形態１において、出力部２１６に表示された監視画面の一例を示した図である。
【図４】本発明の実施の形態１に係る用品情報追加登録装置６が適用された制御監視システム１０に備えられた制御装置３の構成を示す構成図である。
【図５】本発明の実施の形態１に係る設計支援装置１の構成を示す構成図である。
【図６】本発明の実施の形態１に係る用品情報追加登録装置６の構成を示す構成図である。
【図７】本発明の実施の形態１のシステムにおける、利用者の操作および用品情報追加登録装置６の処理の流れについて説明するための図である。
【図８】本発明の実施の形態１に係る用品情報追加登録装置６に表示される用品情報追加登録画面８０の模式図である。
【図９】本発明の実施の形態１に係る用品情報追加登録装置６に表示される入力情報確認画面９０の模式図である。
【図１０】本発明の実施の形態１に係る用品情報追加登録装置６により追加登録されたプラント制御管理仕様情報の概念図である。
【図１１】本発明の実施の形態１に係る用品情報追加登録装置６に表示される用品追加履歴画面１１０の模式図である。
【図１２】本発明の実施の形態２に係る用品情報追加登録装置６の構成を示す構成図である。
【図１３】本発明の実施の形態２に係るシステムにおける、利用者の操作および用品情報追加登録装置６の処理の流れについて説明するための図である。
【図１４】本発明の実施の形態３に係るシステムの全体構成を示す構成図である。
【図１５】本発明の実施の形態３に係る用品情報追加登録装置６の構成を示す構成図である。
【図１６】本発明の実施の形態３に係るシステムにおける、利用者の操作および用品情報追加登録装置６の処理の流れについて説明するための図である。
【発明を実施するための形態】
【００１８】
以下、図面を参照して本発明の実施の形態について詳細に説明する。尚、各図において共通する要素には、同一の符号を付して重複する説明を省略する。
【００１９】
実施の形態１．
［制御監視システムの全体構成］
図１は、本発明の実施の形態１に係る用品情報追加登録装置が適用された制御監視システム１０の構成を示す概念構成図である。
【００２０】
図１に示すように、実施の形態１に係る用品情報追加登録装置６が適用された制御監視システム１０は、設計支援装置１と、ＨＭＩ（Human Machine Interface）装置２と、１つ以上の制御装置３と、用品情報追加登録装置６とを備える。ＨＭＩ装置２と制御装置３とは伝送装置としてのネットワーク４を介して接続されている。
【００２１】
ＨＭＩ装置２は、内部に記憶したタグ変数情報と監視画面情報とに基づいて、監視画面を表示すると共に、利用者による監視画面の操作に基づいて操作信号を生成し、この生成された操作信号を制御装置３へネットワーク４を介して送信する。また、ＨＭＩ装置２は、制御装置３からネットワーク４を介して受信した表示信号に基づいて、監視画面上に表示用品を表示する。なお、監視画面とは、利用者が制御対象であるプラントを監視するために用いられる画面と、利用者が制御対象であるプラントを操作するために用いられる画面とを含むものである。
【００２２】
制御装置３は、ＨＭＩ装置２からネットワーク４を介して受信した操作信号に基づいて、各種プラント機器（図示しない）を制御する。また、制御装置３は、ＨＭＩ装置２の監視画面上に表示用品を表示するための表示信号を生成し、この生成された表示信号をＨＭＩ装置２へネットワーク４を介して送信する。
【００２３】
設計支援装置１は、ＨＭＩ装置２と制御装置３との間で、信号（操作信号および表示信号）を送受信するための情報であるプラント制御管理仕様情報（インタフェース情報を含む）、タグ変数情報およびコントローラ変数情報を生成する。そして、設計支援装置１は、記憶媒体５にタグ変数情報および監視画面情報を記憶し、ＨＭＩ装置２が、この記憶媒体５に記憶されたタグ変数情報および監視画面情報を読み出すことにより、ＨＭＩ装置２は、監視画面を生成すると共に、制御装置３との間で操作信号および表示信号を適切に送受信する。
【００２４】
また、設計支援装置１は、記憶媒体５にコントローラ変数情報を記憶し、制御装置３が、この記憶媒体５に記憶されたコントローラ変数情報を読み出し、これに従って所定の送受信プログラムを実行することにより、ＨＭＩ装置２との間で適切に操作信号および表示信号を送受信する。
【００２５】
なお、設計支援装置１は、記憶媒体５によりタグ変数情報、監視画面情報およびコントローラ変数情報を制御装置３およびＨＭＩ装置２へ供給するが、これらの情報を記憶する記憶媒体５には、光ディスク、ＵＳＢ（Universal Serial Bus）メモリ等を用いればよい。また、設計支援装置１とＨＭＩ装置２の間や、設計支援装置１と制御装置３との間をネットワークで接続し、このネットワークを介してこれらの情報を制御装置３およびＨＭＩ装置２へ供給するようにしてもよい。
【００２６】
用品情報追加登録装置６は、ＨＭＩ装置２の監視画面上に用品を追加する要求仕様の変更があった場合に、コントローラエンジニアが、設計支援装置１により生成された既存のプラント制御管理仕様情報を読み込ませ、既存のプラント制御管理仕様情報の範囲内で追加可能な用品を定義し、その追加用品のインタフェース情報等を追加登録できる装置である。また、用品情報追加登録装置６は、追加用品のインタフェース情報等が追加登録されたプラント制御管理仕様情報に基づいて、タグ変数情報およびコントローラ変数情報を生成できる。
【００２７】
なお、用品情報追加登録装置６は、記憶媒体５によりタグ変数情報およびコントローラ変数情報を制御装置３およびＨＭＩ装置２へ供給するが、これらの情報を記憶する記憶媒体５には、光ディスク、ＵＳＢ（Universal Serial Bus）メモリ等を用いればよい。
【００２８】
［ＨＭＩ装置２の構成］
図２は、本発明の実施の形態１に係る用品情報追加登録装置６が適用された制御監視システム１０に備えられたＨＭＩ装置２の構成を示す構成図である。
【００２９】
図２に示すように、ＨＭＩ装置２は、ＣＰＵ２１１と、第１のメモリ２１２と、ネットワークインタフェース部２１３と、記憶媒体インタフェース部２１４と、入力部２１５と、出力部２１６と、ハードディスク２１７とを備える。
【００３０】
第１のメモリ２１２は、揮発性半導体等で構成され、その機能上、操作信号記憶手段２１２ａと、表示信号記憶手段２１２ｂとを備えている。
【００３１】
操作信号記憶手段２１２ａは、ＣＰＵ２１１から供給された操作信号をＣＰＵ２１１により指示されたメモリアドレスに記憶する。
【００３２】
表示信号記憶手段２１２ｂは、ネットワーク４を介してネットワークインタフェース部２１３から供給された表示信号をＣＰＵ２１１により指示されたメモリアドレスに記憶する。
【００３３】
ネットワークインタフェース部２１３は、ネットワークカードなどの通信インタフェースであり、このネットワークインタフェース部２１３によりネットワーク４に接続することによって、ネットワーク４に接続された制御装置３との間で操作信号および表示信号を送受信する。
【００３４】
記憶媒体インタフェース部２１４は、記憶媒体５が接続されると、この接続された記憶媒体５に記憶されたタグ変数情報や監視画面情報等の各種情報を読み出し、ＣＰＵ２１１に供給する。
【００３５】
入力部２１５は、マウスやキーボード等の入力装置を備えており、利用者の操作により入力信号を生成しＣＰＵ２１１へ供給する。
【００３６】
出力部２１６は、液晶ディスプレイ等の画像出力装置を備えており、ＣＰＵ２１１から供給された出力信号に基づいて、監視画面等を表示する。
【００３７】
ハードディスク２１７は、その機能上、タグ変数情報記憶手段２１７ａと、監視画面情報記憶手段２１７ｂと、プログラム記憶手段２１７ｃとを備える。
【００３８】
タグ変数情報記憶手段２１７ａは、操作信号の第１のメモリ２１２におけるメモリアドレスと、表示信号の第１のメモリ２１２におけるメモリアドレスと、操作信号のタグ名称と、表示信号のタグ名称とを関連付けてタグ変数情報として記憶する。
【００３９】
監視画面情報記憶手段２１７ｂは、出力部２１６に表示させるための監視画面情報を記憶する。
【００４０】
プログラム記憶手段２１７ｃは、オペレーションシステムの他、出力部２１６に監視画面を表示させるための監視操作プログラム等各種プログラムを記憶する。
【００４１】
ＣＰＵ２１１は、ＨＭＩ装置２の中枢的な制御を行う。また、ＣＰＵ２１１は、ハードディスク２１７のプログラム記憶手段２１７ｃに記憶された監視操作プログラムを実行することにより、監視画面情報記憶手段２１７ｂに記憶された監視画面情報に基づいて監視画面を出力部２１６に表示する。そして、ＣＰＵ２１１は、入力部２１５から供給された入力信号に基づいて操作信号を生成し、タグ変数情報記憶手段２１７ａに記憶されたタグ変数情報のメモリアドレスに基づいて、第１のメモリ２１２の操作信号記憶手段２１２ａに記憶させる。さらに、ＣＰＵ２１１は、操作信号記憶手段２１２ａに記憶された操作信号をネットワークインタフェース部２１３を介して制御装置３へ送信する。
【００４２】
また、ＣＰＵ２１１は、ネットワークインタフェース部２１３により制御装置３から受信した表示信号を、タグ変数情報記憶手段２１７ａに記憶されたタグ変数情報のメモリアドレスに基づいて、第１のメモリ２１２の表示信号記憶手段２１２ｂに記憶させる。そして、ＣＰＵ２１１は、表示信号記憶手段２１２ｂに記憶された表示信号に基づいて、出力部２１６に監視画面上の表示用品を表示させる。
【００４３】
図３は、本発明の実施の形態１において、出力部２１６に表示された監視画面の一例を示した図である。
【００４４】
図３に示すように、出力部２１６に表示された監視画面は、ヒータやポンプ等のプラント機器の操作端に対応する用品を表示する領域を示す表示枠が表示されており、それぞれの操作端には、操作端の名称１３１や操作表示項目１３２が表示されている。
【００４５】
また、監視画面上には、様々な用品１５１が配置されており、利用者が、入力部２１５から、用品１５１を押下操作すると、入力部２１５がこの押下操作された用品１５１に応じた操作信号を生成し、ＣＰＵ２１１へ供給する。
【００４６】
［制御装置３の構成］
図４は、本発明の実施の形態１に係る用品情報追加登録装置６が適用された制御監視システム１０に備えられた制御装置３の構成を示す構成図である。
【００４７】
図４に示すように、制御装置３は、ＣＰＵ３１１と、第２のメモリ３１２と、ネットワークインタフェース部３１３と、記憶媒体インタフェース部３１４と、入出力インタフェース部３１５と、ハードディスク３１６とを備える。
【００４８】
第２のメモリ３１２は、揮発性半導体等で構成され、その機能上、操作信号記憶手段３１２ａと、表示信号記憶手段３１２ｂとを備えている。
【００４９】
操作信号記憶手段３１２ａは、ネットワーク４を介してネットワークインタフェース部３１３から供給された操作信号を、ＣＰＵ３１１により指示されたメモリアドレスに記憶する。
【００５０】
表示信号記憶手段３１２ｂは、ＣＰＵ３１１から供給された表示信号をＣＰＵ３１１により支持されたメモリアドレスに記憶する。
【００５１】
ネットワークインタフェース部３１３は、ネットワークカードなどの通信インタフェースであり、このネットワークインタフェース部３１３によりネットワーク４に接続することによって、ネットワーク４に接続されたＨＭＩ装置２との間で操作信号および表示信号を送受信する。
【００５２】
記憶媒体インタフェース部３１４は、記憶媒体５が接続されると、この接続された記憶媒体５に記憶されたコントローラ変数情報等の各種情報を読み出し、ＣＰＵ３１１に供給する。
【００５３】
入出力インタフェース部３１５は、ネットワークカードなどの通信インタフェースであり、この入出力インタフェース部３１５により各種プラント機器に接続することによって、例えば、圧力計や温度計の指示値等各種プロセス値がプラント機器から供給され、また、ＣＰＵ３１１から供給される電磁弁の開閉信号や温度計の制御設定値等の各種制御信号をプラント機器へ供給する。
【００５４】
ハードディスク３１６は、その機能上、プログラム記憶手段３１６ａと、コントローラ変数情報記憶手段３１６ｂとを備える。
【００５５】
プログラム記憶手段３１６ａは、オペレーションシステムの他、プラント機器（図示しない）を制御するための制御プログラムや、ネットワーク４を介してＨＭＩ装置２と操作信号および表示信号を送受信するためのインタフェースプログラム等の各種プログラムを記憶する。
【００５６】
コントローラ変数情報記憶手段３１６ｂは、インタフェースプログラムを実行する際に用いられる変数の一覧であるコントローラ変数情報を記憶する。コントローラ変数情報は、操作信号の第２のメモリ３１２におけるメモリアドレスと、表示信号の第２のメモリ３１２におけるメモリアドレスと、操作信号のタグ名称と、表示信号のタグ名称とを関連付けた情報を含む。
【００５７】
ＣＰＵ３１１は、制御装置３の中枢的な制御を行う。また、ＣＰＵ３１１は、ハードディスク３１６のプログラム記憶手段３１６ａに記憶された制御プログラムを実行することにより、各種プラント機器（図示しない）を制御するための各種制御信号を生成し、この生成した各種制御信号を入出力インタフェース部３１５を介してプラント機器へ送信する。
【００５８】
さらに、ＣＰＵ３１１は、ＨＭＩ装置２の監視画面上に用品を表示するための表示信号を生成し、コントローラ変数情報記憶手段３１６ｂに記憶されたコントローラ変数情報のメモリアドレスに基づいて、第２のメモリ３１２の表示信号記憶手段３１２ｂに記憶させる。さらに、ＣＰＵ３１１は、表示信号記憶手段３１２ｂに記憶された表示信号をネットワークインタフェース部３１３を介してＨＭＩ装置２へ送信する。
【００５９】
また、ＣＰＵ３１１は、記憶媒体インタフェース部３１４から供給されたコントローラ変数情報をコントローラ変数情報記憶手段３１６ｂに記憶させる。
【００６０】
［設計支援装置１の構成］
図５は、本発明の実施の形態１に係る設計支援装置１の構成を示す構成図である。
【００６１】
図５に示すように、設計支援装置１は、ＣＰＵ１１と、メモリ１２と、記憶媒体インタフェース部１４と、入力部１５と、出力部１６と、ハードディスク１７と、プラント制御管理仕様情報データベース１８とを備える。
【００６２】
メモリ１２は、揮発性半導体等で構成され、ＣＰＵ１１の命令に従って、適宜オペレーションプログラムや設計支援プログラム等の各種プログラムや、これらのプログラムを実行する上で必要な各種データを記憶する。
【００６３】
記憶媒体インタフェース部１４は、接続された記憶媒体５に、タグ変数情報、監視画面情報、コントローラ変数情報等の各種データを記憶する。
【００６４】
入力部１５は、マウスやキーボード等の入力装置を備えており、利用者（主にＨＭＩエンジニア）の操作により入力信号を生成してＣＰＵ１１へ供給する。
【００６５】
出力部１６は、液晶ディスプレイ等の画像出力装置を備え、ＣＰＵ１１から供給された出力信号に基づいて、監視画面等を表示する。
【００６６】
ハードディスク１７は、オペレーションプログラムや設計支援プログラム等の各種プログラムを記憶する。また、ハードディスク１７は、その機能上、プラント制御管理仕様情報記憶手段１７ａと、タグ変数情報記憶手段１７ｂと、監視画面情報記憶手段１７ｃと、と、コントローラ変数情報記憶手段１７ｄとを備える。
【００６７】
プラント制御管理仕様情報記憶手段１７ａは、後述するＣＰＵ１１のプラント制御管理仕様情報生成手段１１ｄにより生成されたプラント制御管理仕様情報を記憶する。具体的には、プラント制御管理仕様情報記憶手段１７ａは、ＨＭＩ装置２に表示される監視画面の画面番号と、監視画面上の用品（表示用品および操作用品）固有の用品番号と、用品の種類を一意に識別する用品種別と、監視画面上における用品の位置情報と、用品の属性情報と、制御装置３を特定する制御装置番号と、後述するインタフェース情報（送受信アドレスおよび信号名称）とを関連付けて、プラント制御管理仕様情報の１レコードとして記憶する。属性情報には、例えば用品に含まれる操作ボタンの色やボタンに表示させるための表示名称等が含まれる。プラント制御管理仕様情報の各レコードは、監視画面の画面番号、用品固有の用品番号、用品種別の３つのデータの組み合わせにより特定できる。
【００６８】
インタフェース情報は、より具体的には、操作信号の第１のメモリ２１２におけるメモリアドレスと、操作信号の第２のメモリ３１２におけるメモリアドレスと、表示信号の第１のメモリ２１２におけるメモリアドレスと、表示信号の第２のメモリ３１２におけるメモリアドレスとを含む送受信アドレス情報と、信号名称（操作信号のタグ名称および表示信号のタグ名称）とが関連付けられた情報である。
【００６９】
タグ変数情報記憶手段１７ｂは、操作信号の第１のメモリ２１２におけるメモリアドレスと、表示信号の第１のメモリ２１２におけるメモリアドレスと、操作信号のタグ名称と、表示信号のタグ名称とが、ＨＭＩ装置２が読み込み可能なファイル形式へ変換されたタグ変数情報を記憶する。
【００７０】
監視画面情報記憶手段１７ｃは、上述した画面番号と、用品番号と、用品種別と、位置情報と、属性情報と、操作信号のタグ名称と、表示信号のタグ名称とが、ＨＭＩ装置２が読込可能なファイル形式へ変換された監視画面情報を記憶する。監視画面情報は、ＨＭＩエンジニアにより予め用意される。
【００７１】
コントローラ変数情報記憶手段１７ｄは、操作信号の第２のメモリ３１２におけるメモリアドレスと、表示信号の第２のメモリ３１２におけるメモリアドレスと、操作信号のタグ名称と、表示信号のタグ名称とが、制御装置３が読み込み可能なファイル形式へ変換されたコントローラ変数情報を記憶する。
【００７２】
プラント制御管理仕様情報データベース１８は、後述するプラント制御管理仕様情報生成手段１１ｄにより生成されたプラント制御管理仕様情報をプラント毎に記憶する。
【００７３】
ＣＰＵ１１は、設計支援装置１の中枢的な制御を行う。またＣＰＵ１１は、その機能上、インタフェース情報生成手段１１ａと、タグ変数情報生成手段１１ｂと、コントローラ変数情報生成手段１１ｃと、プラント制御管理仕様情報生成手段１１ｄとを備えている。
【００７４】
プラント制御管理仕様情報生成手段１１ｄは、監視画面情報記憶手段１７ｃに記憶された監視画面情報に基づいて、上述した画面番号と用品番号と用品種別と位置情報と属性情報と制御装置番号とインタフェース情報とを関連付けたプラント制御管理仕様情報を生成する。制御装置番号は、コントローラエンジニアにより設定される。インタフェース情報は、インタフェース情報生成手段１１ａにより生成される。
【００７５】
インタフェース情報生成手段１１ａは、各用品について、プラント制御管理仕様情報に含まれる画面番号、用品番号、用品種別、制御装置番号に基づいて、送受信アドレスと信号名称とを生成し、これらを関連付けてインタフェース情報を生成する。生成される送受信アドレスは、第１のメモリ２１２において操作信号を記憶するメモリアドレス、第２のメモリ３１２において操作信号を記憶するメモリアドレス、第１のメモリ２１２において表示信号を記憶するメモリアドレス、第２のメモリ３１２において表示信号を記憶するメモリアドレスである。生成される信号名称は、操作信号のタグ名称と表示信号のタグ名称である。タグ名称は、画面番号と用品番号と用品種別とを組み合わせて一意に定めた名称である。生成されたインタフェース情報は、プラント制御管理仕様情報生成手段１１ｄによりプラント制御管理仕様情報に組み込まれる。
【００７６】
タグ変数情報生成手段１１ｂは、プラント制御管理仕様情報から、操作信号の第１のメモリ２１２におけるメモリアドレスと、表示信号の第１のメモリ２１２におけるメモリアドレスと、操作信号のタグ名称と、表示信号のタグ名称とを抽出し、これら抽出された情報を関連付けて、ＨＭＩ装置２が読み込み可能なファイル形式へ変換してタグ変数情報として生成する。タグ変数情報は、タグ変数情報記憶手段１７ｂに記憶され、記憶媒体５を介してＨＭＩ装置２に反映される。
【００７７】
コントローラ変数情報生成手段１１ｅは、プラント制御管理仕様情報から、操作信号の第２のメモリ３１２におけるメモリアドレスと、表示信号の第２のメモリ３１２におけるメモリアドレスと、操作信号のタグ名称と、表示信号のタグ名称とを抽出し、これら抽出された情報を関連付けて、制御装置３が読み込み可能なファイル形式へ変換してコントローラ変数情報として生成する。コントローラ変数情報は、コントローラ変数情報記憶手段１７ｄに記憶され、記憶媒体５を介して制御装置３に反映される。
【００７８】
［用品情報追加登録装置６の構成］
実施の形態１のシステムにおける主な特徴的構成である用品情報追加登録装置６について説明する。
【００７９】
図６は、本発明の実施の形態１に係る用品情報追加登録装置６の構成を示す構成図である。
【００８０】
図６に示すように、用品情報追加登録装置６は、ＣＰＵ６１と、メモリ６２と、記憶媒体インタフェース部６４と、入力部６５と、出力部６６と、記憶装置６７とを備える。また、用品情報追加登録装置６は、設計支援装置１のプラント制御管理仕様情報データベース１８に接続されている。
【００８１】
メモリ６２は、揮発性半導体等で構成され、ＣＰＵ６１の命令に従って、適宜オペレーションプログラムや用品情報追加登録プログラム等の各種プログラムや、これらのプログラムを実行する上で必要な各種データを記憶する。
【００８２】
記憶媒体インタフェース部６４は、接続された記憶媒体５に、タグ変数情報、コントローラ変数情報等の各種データを記憶する。
【００８３】
入力部６５は、マウスやキーボード等の入力装置を備えており、利用者（主にコントローラエンジニア）の操作情報をＣＰＵ１１へ供給する。
【００８４】
出力部６６は、液晶ディスプレイ等の画像出力装置を備え、ＣＰＵ１１から供給された出力信号に基づいて、用品情報追加登録画面、入力情報確認画面、用品追加履歴画面等を表示する。
【００８５】
記憶装置６７は、揮発性半導体やハードディスク等で構成され、オペレーションプログラムや用品情報追加登録プログラム等の各種プログラムを記憶する。また、記憶装置６７は、その機能上、プラント制御管理仕様情報記憶手段６７ａと、用品追加指示記憶手段６７ｂと、用品追加履歴記憶手段６７ｃと、タグ変数情報記憶手段６７ｄと、コントローラ変数情報記憶手段６７ｅとを備える。
【００８６】
プラント制御管理仕様情報記憶手段６７ａは、後述するＣＰＵ６１のプラント制御管理仕様情報貸出手段６１ｍにより読み込まれた既存のプラント制御管理仕様情報を記憶する。また、プラント制御管理仕様情報記憶手段６７ａは、後述するＣＰＵ６１の追加登録手段６１ｈにより追加用品の情報が追加されたプラント制御管理仕様情報を記憶する。
【００８７】
用品追加指示記憶手段６７ｂは、後述するＣＰＵ６１の選択データ取込手段６１ｃにより取り込まれた入力情報を一時記憶する。
【００８８】
用品追加履歴記憶手段６７ｃは、追加登録手段６１ｈにより既存のプラント制御管理仕様情報に追加された追加用品の情報を記憶する。
【００８９】
タグ変数情報記憶手段６７ｄは、操作信号の第１のメモリ２１２におけるメモリアドレス（メモリアドレスＡ）と、表示信号の第１のメモリ２１２におけるメモリアドレス（メモリアドレスＣ）と、操作信号のタグ名称と、表示信号のタグ名称とが、ＨＭＩ装置２が読み込み可能なファイル形式へ変換されたタグ変数情報を記憶する。
【００９０】
コントローラ変数情報記憶手段６７ｅは、操作信号の第２のメモリ３１２におけるメモリアドレス（メモリアドレスＢ）と、表示信号の第２のメモリ３１２におけるメモリアドレス（メモリアドレスＤ）と、操作信号のタグ名称と、表示信号のタグ名称とが、制御装置３が読み込み可能なファイル形式へ変換されたコントローラ変数情報を記憶する。
【００９１】
ＣＰＵ６１は、用品情報追加登録装置６の中枢的な制御を行う。またＣＰＵ１１は、その機能上、既存情報抽出手段６１ａと、既存情報表示手段６１ｂと、選択データ取込手段６１ｃと、用品追加指示表示手段６１ｄと、用品番号生成手段６１ｅと、送受信アドレス生成手段６１ｆと、インタフェース情報生成手段６１ｇと、追加登録手段６１ｈと、用品追加履歴表示手段６１ｉと、タグ変数情報生成手段６１ｊと、コントローラ変数情報生成手段６１ｋとを備えている他、プラント制御管理仕様情報データベース１８から既存のプラント制御管理仕様情報を取得してプラント制御管理仕様情報記憶手段６７ａに記憶させるプラント制御管理仕様情報貸出手段６１ｍや、プラント制御管理仕様情報記憶手段６７ａに記憶されたプラント制御管理仕様情報をプラント制御管理仕様情報データベース１８に上書保存するプラント制御管理仕様情報返却手段６１ｎも備えている。
【００９２】
既存情報抽出手段６１ａは、プラント制御管理仕様情報貸出手段６１ｍによりプラント制御管理仕様情報記憶手段６７ａに記憶された既存のプラント制御管理仕様情報から、画面番号をリスト化した画面番号リストと、制御装置番号をリスト化した制御装置番号リストと、画面番号毎に用品番号を集めた用品番号リストと、信号の送受信アドレスをリスト化した送受信アドレスリストとを抽出する。
【００９３】
既存情報表示手段６１ｂは、少なくとも画面番号リストと、制御装置番号リストと、ＨＭＩ装置２の監視画面上に新たに追加可能な用品群を予め定めた用品種別リストとを表示させる出力信号を出力する。出力部６６は、この出力信号に基づいて用品情報追加登録画面を表示する。
【００９４】
図８は、本発明の実施の形態１に係る用品情報追加登録装置６に表示される用品情報追加登録画面８０の模式図である。
【００９５】
画面番号選択部８０１は、画面番号リスト内の画面番号を選択可能に表示する。用品種別選択部８０２は、当該プラントに追加しうる用品の用品種別リストを選択可能に表示する。コメント入力部８０３は、追加用品の説明を入力可能なテキストボックスを表示する。制御装置番号選択部８０４は、制御装置番号リスト内の制御装置番号を選択可能に表示する。
【００９６】
用品種別選択部８０２は、「ＰＡＲＴ  ＴＹＰＥ」欄、「ＤＡＴＡ  ＴＹＰＥ」欄、「ＤＳ／ＮＩ  ＩＮＦＯＲＭＡＴＩＯＮ」欄、「ＴＳ／ＴＸ  ＩＮＦＯＲＭＡＴＩＯＮ」欄を備える。
【００９７】
「ＰＡＲＴ  ＴＹＰＥ」欄は、ＰＬ（プッシュランプ）、ＳＬ（シグナルランプ）、ＤＳ（デジタルスイッチ）、ＮＩ（ニューメリックインジケータ）、ＴＳ（テキストスイッチ）、ＴＸ（テキスト）のいずれか１つを選択可能に表示する。ＰＬについては、更にＰＬ１、ＰＬ２（二者択一ボタン）、ＰＬ３（三者択一ボタン）のいずれか１つを選択可能である。
【００９８】
「ＤＡＴＡ  ＴＹＰＥ」欄は、ＳＬ、ＤＳ、ＮＩのいずれか１つが選択された場合に更に選択可能になる欄であり、ＢＩＴ、ＩＮＴ、ＤＩＮＴ、ＲＥＡＬのデータサイズのいずれか１つを選択可能に表示する。
【００９９】
「ＤＳ／ＮＩ  ＩＮＦＯＲＭＡＴＩＯＮ」欄は、ＤＳ、ＮＩのいずれか１つが選択された場合に更に入力可能になる欄であり、ＨＩＧＨ  ＬＩＭＩＴ（上限値）、ＬＯＷ  ＬＩＭＩＴ（下限値）、ＵＮＩＴ（単位）をそれぞれ入力可能に表示する。
【０１００】
「ＴＳ／ＴＸ  ＩＮＦＯＲＭＡＴＩＯＮ」欄は、ＴＳ、ＴＸのいずれか１つが選択された場合に更に入力可能になる欄であり、ＣＨＡＲＡＣＴＥＲ  ＬＥＮＧＴＨ（文字長）を選択可能に表示する。
【０１０１】
図６の選択データ取込手段６１ｃは、ＨＭＩ装置２の監視画面に追加する追加用品に関して、利用者（主にコントローラエンジニア）が用品情報追加登録画面８０に入力した入力情報を取り込んで、用品追加指示記憶手段６７ｂに一時記憶させる。入力情報は、少なくとも利用者が画面番号リストから選択した画面番号と、制御装置番号リストから選択した制御装置番号と、用品種別リストから選択した用品種別とを含む。選択データ取込手段６１ｃは、図８のＥＮＴＥＲボタン８０５が押下されることで実行される。
【０１０２】
用品追加指示表示手段６１ｄは、用品追加指示記憶手段６７ｂに一時記憶された入力情報の一覧を表示させる出力信号を出力部６６に出力する。出力部６６は、この出力信号に基づいて入力情報確認画面を表示する。
【０１０３】
図９は、本発明の実施の形態１に係る用品情報追加登録装置６に表示される入力情報確認画面９０の模式図である。
【０１０４】
図９に示す入力情報確認画面９０には、図８の用品情報追加登録画面８０から入力された入力情報が追加用品毎に表示される。入力情報確認画面９０の項目には、画面番号９０１、用品種別（９０２〜９０４、９０６〜９０９からなる）、コメント９０５、制御装置番号９１０が含まれる。
【０１０５】
画面番号９０１は、図８の画面番号選択部８０１で選択された画面番号に対応する。用品種別（９０２〜９０４、９０６〜９０９からなる）は、図８の用品種別選択部８０２で選択された用品種別に対応する。コメント９０５は、図８のコメント入力部８０３で入力されたコメントに対応する。制御装置番号９１０は、図８の制御装置番号選択部８０４で選択された制御装置番号に対応する。
【０１０６】
図６の用品番号生成手段６１ｅは、追加用品の用品番号として、固有の用品番号を生成する。具体的には、既存情報抽出手段６１ａにより監視画面毎に抽出された用品番号リストに基づいて、用品番号リストに含まれていない新たな用品番号を生成する。
【０１０７】
送受信アドレス生成手段６１ｆは、追加用品と制御装置との間で表示信号と操作信号を送受信するための送受信アドレスとして、固有の送受信アドレスを生成する。具体的には、既存情報抽出手段６１ａにより抽出された送受信アドレスリストと、選択データ取込手段６１ｃにより取り込まれた制御装置番号とに基づいて、送受信アドレスリストに含まれていない新たな送受信アドレスを生成する。送受信アドレスは、上述したように、操作信号の第１のメモリ２１２におけるメモリアドレスと、操作信号の第２のメモリ３１２におけるメモリアドレスと、表示信号の第１のメモリ２１２におけるメモリアドレスと、表示信号の第２のメモリ３１２におけるメモリアドレスとを含む。
【０１０８】
インタフェース情報生成手段６１ｇは、追加用品に関する固有の信号名称（操作信号のタグ名称および表示信号のタグ名称）を生成し、この信号名称と送受信アドレス生成手段６１ｆにより生成された送受信アドレスとを関連付けたインタフェース情報を生成する。
【０１０９】
インタフェース情報生成手段６１ｇにおいて、固有の信号名称は、選択データ取込手段６１ｃにより取込まれた画面番号および用品種別と、用品番号生成手段６１ｅにより生成された新たな用品番号とを組み合わせて生成される。
【０１１０】
具体例を挙げて説明する。図１０の信号名称１０１５には、信号名称の一例として「Ｇ２＿６１ＰＬ＿ＰＬ１」が示されている。「Ｇ２」は画面番号、「６１」は用品番号、「ＰＬ＿ＰＬ１」は用品種別に基づく。なお、この例では、「ＰＬ＿ＰＬ１」は２つのプッシュランプを有するＰＬ２のうち１番目のプッシュランプを示している。このように、画面番号と用品番号と用品種別の組み合わせにより、追加用品に固有の信号名称を生成することができる。
【０１１１】
追加登録手段６１ｈは、選択データ取込手段６１ｃにより取込まれた画面番号と用品種別と制御装置番号と、用品番号生成手段６１ｅにより生成された用品番号と、インタフェース情報生成手段６１ｇにより生成されたインタフェース情報とを関連付けてプラント制御管理仕様情報に追加登録する。追加登録されたプラント制御管理仕様情報は、プラント制御管理仕様情報記憶手段６７ａに記憶される。また、追加登録手段６１ｈは、既存のプラント制御管理仕様情報に追加された追加用品の情報を用品追加履歴記憶手段６７ｃに記憶する。
【０１１２】
図１０は、本発明の実施の形態１に係る用品情報追加登録装置６により追加登録されたプラント制御管理仕様情報の概念図である。
【０１１３】
プラント制御管理仕様情報の要素には、画面番号１００１、用品番号１００２、用品種別（１００３、１００４、１００６〜１０１２からなる）、コメント１００５、制御装置番号１０１３、送受信アドレス１０１４、信号名称（１０１５、１０１６）が含まれる。
【０１１４】
画面番号１００１は、図９の画面番号９０１に対応する。用品番号１００２は、用品番号生成手段６１ｅにより生成された用品番号に対応する。用品種別（１００３、１００４、１００６〜１０１２からなる）は、図９の用品種別（９０２〜９０４、９０６〜９０９からなる）に基づく。コメント１００５は、図９のコメント９０５に対応する。送受信アドレス１０１４は、送受信アドレス生成手段６１ｆにより生成された送受信アドレスに対応する。信号名称（１０１５、１０１６）は、インタフェース情報生成手段６１ｇにより生成された信号名称に対応する。
【０１１５】
図６の用品追加履歴表示手段６１ｉは、用品追加履歴記憶手段６７ｃに記憶された追加用品の情報の一覧を表示させる出力信号を出力部６６に出力する。出力部６６は、この出力信号に基づいて用品追加履歴画面を表示する。
【０１１６】
図１１は、本発明の実施の形態１に係る用品情報追加登録装置６に表示される用品追加履歴画面１１０の模式図である。
【０１１７】
図１１に示す用品追加履歴画面１１０には、追加登録手段６１ｈにより追加登録された追加用品の情報が表示される。用品追加履歴画面１１０の項目１１０１〜１１１０は、上述した図９の９０１〜９１０と同様であるため説明は省略する。用品番号１１１１は、用品番号生成手段６１ｅにより生成された用品番号に対応する。
【０１１８】
図６のタグ変数情報生成手段６１ｊは、プラント制御管理仕様情報記憶手段６７ａに記憶されたプラント制御管理仕様情報から、操作信号の第１のメモリ２１２におけるメモリアドレスと、表示信号の第１のメモリ２１２におけるメモリアドレスと、操作信号のタグ名称と、表示信号のタグ名称とを抽出し、これら抽出された情報を関連付けて、ＨＭＩ装置２が読み込み可能なファイル形式へ変換してタグ変数情報として生成する。タグ変数情報は、タグ変数情報記憶手段６７ｄに記憶され、記憶媒体５を介してＨＭＩ装置２に反映される。
【０１１９】
コントローラ変数情報生成手段６１ｋは、プラント制御管理仕様情報記憶手段６７ａに記憶されたプラント制御管理仕様情報から、操作信号の第２のメモリ３１２におけるメモリアドレスと、表示信号の第２のメモリ３１２におけるメモリアドレスと、操作信号のタグ名称と、表示信号のタグ名称とを抽出し、これら抽出された情報を関連付けて、制御装置３が読み込み可能なファイル形式へ変換してコントローラ変数情報として生成する。コントローラ変数情報は、コントローラ変数情報記憶手段６７ｅに記憶され、記憶媒体５を介して制御装置３に反映される。
【０１２０】
［用品情報追加登録装置６の操作と処理の流れ］
図７は、本発明の実施の形態１のシステムにおける、利用者の操作および用品情報追加登録装置６の処理の流れについて説明するための図である。
【０１２１】
上述したように、用品情報追加登録装置６は、ＨＭＩ装置２の監視画面上に用品を追加する要求仕様の変更があった場合に、ＨＭＩエンジニアによるプラント制御管理仕様情報の作成を待たずに、コントローラエンジニアが、既存のプラント制御管理仕様情報の範囲内で追加可能な用品を定義し、その追加用品のインタフェース情報等をプラント制御管理仕様情報に追加登録する装置である。そのため、利用者は、主にコントローラエンジニアである。
【０１２２】
また、用品情報追加登録装置６は、貸出機能、用品情報追加登録機能、インタフェース情報自動設計機能、タグ変数情報自動設計機能、コントローラ変数情報自動設計機能、返却機能を備える。
【０１２３】
まず、ステップ７０１において、利用者は、仕様変更対象のプラントに関する既存のプラント制御管理仕様情報を取得する指示を入力する。具体的には、まず、用品情報追加登録装置６は、プラント制御管理仕様情報データベース１８に記憶されているプラント制御管理仕様情報の一覧を表示させる出力信号を出力する。出力部６６は、この出力信号に基づいてプラント制御管理仕様情報一覧画面を表示する。利用者は、プラント制御管理仕様情報一覧画面から、仕様変更対象のプラント制御管理仕様情報を選択して取得指示を入力する。
【０１２４】
ステップ７０２において、用品情報追加登録装置６のプラント制御管理仕様情報貸出手段６１ｍは、利用者に指定されたプラント制御管理仕様情報をプラント制御管理仕様情報データベース１８から取得し、プラント制御管理仕様情報記憶手段６７ａに記憶させる。
【０１２５】
ステップ７０３において、既存情報抽出手段６１ａは、プラント制御管理仕様情報記憶手段６７ａに記憶された既存のプラント制御管理仕様情報から画面番号をリスト化した画面番号リストと、制御装置番号をリスト化した制御装置番号リストと、画面番号毎に用品番号を集めた用品番号リストと、信号の送受信アドレスをリスト化した送受信アドレスリストとを抽出する。
【０１２６】
ステップ７０４において、既存情報表示手段６１ｂは、上述した用品情報追加登録画面８０（図８）を表示させる出力信号を出力する。出力部６６は、この出力信号に基づいて用品情報追加登録画面８０を表示する。
【０１２７】
ステップ７０５において、利用者は、用品情報追加登録画面８０から追加したい用品の情報を入力する。入力情報には、画面番号リストから選択する画面番号、制御装置番号リストから選択する制御装置番号、用品種別リストから選択する用品種別、コメント等が含まれる。利用者は、用品情報追加登録画面８０から１つの用品の情報を入力する毎に、図８のＥＮＴＥＲボタン８０５を押下する。
【０１２８】
ステップ７０６において、選択データ取込手段６１ｃは、利用者が用品情報追加登録画面８０に入力した入力情報を取り込んで、用品追加指示記憶手段６７ｂに一時記憶させる。選択データ取込手段６１ｃは、図８のＥＮＴＥＲボタン８０５が押下される度に実行される。
【０１２９】
ステップ７０７において、利用者は、上述した入力情報確認画面９０（図９）を表示する指示を入力する。
【０１３０】
ステップ７０８において、用品追加指示表示手段６１ｄは、用品追加指示記憶手段６７ｂに一時記憶された入力情報の一覧を表示させる出力信号を出力部６６に出力する。出力部６６は、この出力信号に基づいて入力情報確認画面９０を表示する。
【０１３１】
ステップ７０９において、利用者は、入力情報確認画面９０に表示された追加用品の情報が正しいことを確認し、追加用品の追加登録を実行する指示を入力する。
【０１３２】
用品情報追加登録装置６は、追加用品の追加登録を実行する指示を受けて、インタフェース情報自動設計機能の各処理（ステップ７１０〜ステップ７１３）を実行する。
【０１３３】
ステップ７１０において、用品番号生成手段６１ｅは、追加用品の用品番号として、固有の用品番号を生成する。具体的には、ステップ７０３において監視画面毎に抽出された用品番号リストに基づいて、用品番号リストに含まれていない新たな用品番号を生成する。
【０１３４】
ステップ７１１において、送受信アドレス生成手段６１ｆは、追加用品と制御装置との間で表示信号と操作信号を送受信するための送受信アドレスとして、固有の送受信アドレスを生成する。具体的には、ステップ７０３において抽出された送受信アドレスリストと、ステップ７０６において取り込まれた制御装置番号とに基づいて、送受信アドレスリストに含まれていない新たな送受信アドレスを生成する。送受信アドレスは、上述したように、操作信号の第１のメモリ２１２におけるメモリアドレスと、操作信号の第２のメモリ３１２におけるメモリアドレスと、表示信号の第１のメモリ２１２におけるメモリアドレスと、表示信号の第２のメモリ３１２におけるメモリアドレスとを含む。
【０１３５】
ステップ７１２において、インタフェース情報生成手段６１ｇは、追加用品に関する固有の信号名称（操作信号のタグ名称および表示信号のタグ名称）を生成し、この信号名称とステップ７１１において送受信アドレスとを関連付けたインタフェース情報を生成する。
【０１３６】
ステップ７１３において、追加登録手段６１ｈは、ステップ７０６において取り込まれた画面番号と用品種別と制御装置番号と、ステップ７１０において生成された用品番号と、ステップ７１２において生成されたインタフェース情報とを関連付けてプラント制御管理仕様情報に追加登録する。追加登録されたプラント制御管理仕様情報は、プラント制御管理仕様情報記憶手段６７ａに記憶される。
【０１３７】
ステップ７１４において、追加登録手段６１ｈは、プラント制御管理仕様情報に追加された追加用品の情報を用品追加履歴記憶手段６７ｃに記憶する。
【０１３８】
ステップ７１５において、利用者は、上述した用品追加履歴画面１１０（図１１）を表示する指示を入力する。
【０１３９】
ステップ７１６において、用品追加履歴表示手段６１ｉは、用品追加履歴記憶手段６７ｃに記憶された追加用品の情報の一覧を表示させる出力信号を出力部６６に出力する。出力部６６は、この出力信号に基づいて用品追加履歴画面１１０を表示する。
【０１４０】
ステップ７１７において、タグ変数情報生成手段６１ｊは、ステップ７１３においてプラント制御管理仕様情報記憶手段６７ａに記憶されたプラント制御管理仕様情報から、操作信号の第１のメモリ２１２におけるメモリアドレスと、表示信号の第１のメモリ２１２におけるメモリアドレスと、操作信号のタグ名称と、表示信号のタグ名称とを抽出し、これら抽出された情報を関連付けて、ＨＭＩ装置２が読み込み可能なファイル形式へ変換してタグ変数情報として生成する。タグ変数情報は、タグ変数情報記憶手段６７ｄに記憶され、記憶媒体５を介してＨＭＩ装置２に反映される。
【０１４１】
ステップ７１８において、コントローラ変数情報生成手段６１ｋは、ステップ７１３においてプラント制御管理仕様情報記憶手段６７ａに記憶されたプラント制御管理仕様情報から、操作信号の第２のメモリ３１２におけるメモリアドレスと、表示信号の第２のメモリ３１２におけるメモリアドレスと、操作信号のタグ名称と、表示信号のタグ名称とを抽出し、これら抽出された情報を関連付けて、制御装置３が読み込み可能なファイル形式へ変換してコントローラ変数情報として生成する。コントローラ変数情報は、コントローラ変数情報記憶手段６７ｅに記憶され、記憶媒体５を介して制御装置３に反映される。
【０１４２】
ステップ７１９において、利用者は、追加用品が追加されたプラント制御管理仕様情報をプラント制御管理仕様情報データベース１８に返却する指示を入力する。具体的には、利用者は、ステップ７０１で述べたプラント制御管理仕様情報一覧画面から返却指示を入力する。
【０１４３】
ステップ７２０において、プラント制御管理仕様情報返却手段６１ｎは、ステップ７１３においてプラント制御管理仕様情報記憶手段６７ａに記憶されたプラント制御管理仕様情報をプラント制御管理仕様情報データベース１８に上書保存する。
【０１４４】
（効果）
以上説明したように、実施の形態１に係る用品情報追加登録装置６によれば、ＨＭＩ装置２に関する専門知識を有さないコントローラエンジニアであっても、既存のプラント制御管理仕様情報に基づいて、追加用品と制御装置との間の対応関係を定めるインタフェース情報を自動生成できる。また、追加用品のインタフェース情報等が追加登録されたプラント制御管理仕様情報に基づいて、タグ変数情報およびコントローラ変数情報を生成できる。そのため、コントローラエンジニアは、ＨＭＩエンジニアによる追加用品の位置情報や属性情報の設定を待つことなく、制御装置の開発を進めることができる。ケアレスミスの削減による品質向上、設計手順の簡素化・効率化によるコスト削減が期待できる。
【０１４５】
（変形例）
ところで、上述した実施の形態１のシステムにおいては、用品情報追加登録装置６を設計支援装置１の外部に設けることとしているが、この構成はこれに限定されるものではない。用品情報追加登録装置６を設計支援装置１の一部として構成してもよい。
【０１４６】
実施の形態２．
［制御監視システムの全体構成］
次に、図１２、図１３を参照して本発明の実施の形態２について説明する。本実施形態のシステムは図１〜図５および図１２に示す構成において、図１３に示す利用者の操作および用品情報追加登録装置６の処理を実施させることで実現することができる。
【０１４７】
［用品情報追加登録装置６の構成］
上述した実施の形態１では、プラント制御管理仕様情報貸出手段６１ｍは、利用者に選択されたプラント制御管理仕様情報をプラント制御管理仕様情報データベース１８から取得し、プラント制御管理仕様情報返却手段６１ｎは、このプラント制御管理仕様情報に追加用品を追加したプラント制御管理仕様情報を上書保存する。
【０１４８】
しかしながら、他の利用者と同時期に同じプラント制御管理仕様情報が編集される場合には、情報の混色や消失が生じることが懸念される。
【０１４９】
そこで、実施の形態２に係る用品情報追加登録装置６では、一人の利用者が所定のプラント制御管理仕様情報を貸し出した後、返却されるまでの間は、他の利用者による取得と上書保存を禁止することとした。
【０１５０】
図１２は、本発明の実施の形態２に係る用品情報追加登録装置６の構成を示す構成図である。
【０１５１】
図１２に示すように、実施の形態２に係る用品情報追加登録装置６は、図６の「プラント制御管理仕様情報貸出手段６１ｍ」が「プラント制御管理仕様情報貸出手段１２１ｍ」に、「プラント制御管理仕様情報返却手段６１ｎ」が「プラント制御管理仕様情報返却手段１２１ｎ」に置き換えられている点を除き、図６の用品情報追加登録装置６と同様である。そのため、図１２において、図６と同一の構成要素については、同一の符号を付してその説明を省略する。
【０１５２】
プラント制御管理仕様情報貸出手段１２１ｍは、プラント制御管理仕様情報データベース１８から、既存情報抽出手段６１ａが用いるプラント制御管理仕様情報を取得すると共に、解除指示が入力されるまでの間、プラント制御管理仕様情報データベース１８に対する当該プラント制御管理仕様情報の取得と上書保存を禁止する。
【０１５３】
プラント制御管理仕様情報返却手段１２１ｎは、プラント制御管理仕様情報貸出手段１２１ｍに解除指示を出力すると共に、追加用品が追加されたプラント制御管理仕様情報をプラント制御管理仕様情報データベース１８に上書保存する。
【０１５４】
［用品情報追加登録装置６の操作と処理の流れ］
図１３は、本発明の実施の形態２に係るシステムにおける、利用者の操作および用品情報追加登録装置６の処理の流れについて説明するための図である。
【０１５５】
図１３において、上述した図７の用品情報追加登録機能に関する各操作および処理（ステップ７０３〜ステップ７１６）、タグ変数情報自動設計機能に関する処理（ステップ７１７）、コントローラ情報自動設計機能に関する処理（ステップ７１８）については、同様であるためその説明および図示を省略する。
【０１５６】
ステップ１２０１〜ステップ１２０６は、実施の形態２に係るシステムの主な特徴である貸出機能に関する。
【０１５７】
ステップ１２０１において、利用者は、プラント制御管理仕様情報一覧画面を表示する指示を入力する。
【０１５８】
ステップ１２０２において、用品情報追加登録装置６のプラント制御管理仕様情報貸出手段１２１ｍは、プラント制御管理仕様情報データベース１８から既存のプラント制御管理仕様情報の一覧を取得する。
【０１５９】
ステップ１２０３において、プラント制御管理仕様情報貸出手段１２１ｍは、プラント制御管理仕様情報一覧画面を表示させる出力信号を出力する。出力部６６は、この出力信号に基づいてプラント制御管理仕様情報一覧画面を表示する。
【０１６０】
ステップ１２０４において、利用者は、仕様変更対象のプラント制御管理仕様情報を取得する指示を入力する。
【０１６１】
ステップ１２０５において、プラント制御管理仕様情報貸出手段１２１ｍは、利用者に指定されたプラント制御管理仕様情報をプラント制御管理仕様情報データベース１８から取得し、プラント制御管理仕様情報記憶手段６７ａに記憶させる。
【０１６２】
ステップ１２０６において、プラント制御管理仕様情報貸出手段１２１ｍは、解除指示が入力されるまでの間、プラント制御管理仕様情報データベース１８に対する当該プラント制御管理仕様情報の取得と上書保存を禁止する。
【０１６３】
ステップ１２０７〜ステップ１２０９は、実施の形態２に係るシステムの主な特徴である返却機能に関する。
【０１６４】
ステップ１２０７において、利用者は、追加用品が追加されたプラント制御管理仕様情報をプラント制御管理仕様情報データベース１８に返却する指示を入力する。具体的には、利用者は、ステップ１２０１で述べたプラント制御管理仕様情報一覧画面から返却指示を入力する。
【０１６５】
ステップ１２０８において、プラント制御管理仕様情報返却手段１２１ｎは、プラント制御管理仕様情報貸出手段１２１ｍに解除指示を出力する。これにより、ステップ１２０４で指定されたプラント制御管理仕様情報に関するプラント制御管理仕様情報データベース１８からの取得と上書保存の禁止が解除される。
【０１６６】
ステップ１２０９において、プラント制御管理仕様情報返却手段１２１ｎは、追加用品が追加されたプラント制御管理仕様情報をプラント制御管理仕様情報データベース１８に上書保存する。
【０１６７】
（効果）
以上説明したように、実施の形態２に係る用品情報追加登録装置６によれば、仕様変更対象のプラント制御管理仕様情報が貸し出されてから返却されるまでの間、その利用者が当該プラント制御管理仕様情報を占有管理することができる。そのため、他の利用者による情報の混色や消失を回避することができる。
【０１６８】
実施の形態３．
［制御監視システムの全体構成］
次に、図１４〜図１６を参照して本発明の実施の形態３について説明する。本実施形態のシステムは図１〜図５、図１４および図１５に示す構成において、図１６に示す利用者の操作および用品情報追加登録装置６の処理を実施させることで実現することができる。
【０１６９】
［用品情報追加登録装置６の構成］
上述した実施の形態１では、タグ変数情報生成手段６１ｊにより生成されたタグ変数情報を、記憶媒体５を介してＨＭＩ装置２に反映することとしている。また、コントローラ変数情報生成手段６１ｋにより生成されたコントローラ変数情報を、記憶媒体５を介して制御装置３に反映することとしている。上述したように、記憶媒体５には光ディスクやＵＳＢメモリ等が用いられる。
【０１７０】
ところで、記憶媒体５を用いて、手動でタグ変数情報やコントローラ変数情報をＨＭＩ装置２や制御装置３に反映させる手間を省略できれば好適である。
【０１７１】
そこで、実施の形態３に係る用品情報追加登録装置６では、タグ変数情報やコントローラ変数情報を自動的にＨＭＩ装置２や制御装置３にインポートすることとした。
【０１７２】
図１４は、本発明の実施の形態３に係るシステムの全体構成を示す構成図である。
【０１７３】
図１４に示すように、実施の形態３に係るシステムは、伝送装置を介して用品情報追加登録装置６がＨＭＩ装置２および制御装置３に接続されている。用品情報追加登録装置６は、実施の形態１で述べた各種機能に加えて、タグ変数情報自動インポート機能と、コントローラ変数情報自動インポート機能とを備えている。
【０１７４】
図１５は、本発明の実施の形態３に係る用品情報追加登録装置６の構成を示す構成図である。
【０１７５】
図１５に示すように、実施の形態３に係る用品情報追加登録装置６は、図６のＣＰＵ６１に、タグ変数情報自動インポート機能を実現する「タグ変数情報自動インポート手段１５１ｐ」と、コントローラ変数情報自動インポート機能を実現する「コントローラ変数情報自動インポート手段１５１ｑ」とが追加されている点を除き、図６の用品情報追加登録装置６と同様である。そのため、図１５において、図６と同一の構成要素については、同一の符号を付してその説明を省略する。
【０１７６】
タグ変数情報自動インポート手段１５１ｐは、タグ変数情報生成手段６１ｊによりタグ変数情報ファイルが生成された場合に、伝送装置を介して、このタグ変数情報ファイルをＨＭＩ装置２に自動的にインポートする。
【０１７７】
コントローラ変数情報自動インポート手段１５１ｑは、コントローラ変数情報生成手段６１ｋによりコントローラ変数情報ファイルが生成された場合に、伝送装置を介して、このコントローラ変数情報ファイルを制御装置３に自動的にインポートする。
【０１７８】
［用品情報追加登録装置６の操作と処理の流れ］
図１６は、本発明の実施の形態３に係るシステムにおける、利用者の操作および用品情報追加登録装置６の処理の流れについて説明するための図である。
【０１７９】
図１６において、上述した図７の貸出機能に関する各操作および処理（ステップ７０１、ステップ７０２）、用品情報追加登録機能に関する各操作および処理（ステップ７０３〜ステップ７１６）、タグ変数情報自動設計機能に関する処理（ステップ７１７）、コントローラ情報自動設計機能に関する処理（ステップ７１８）については、同様であるためその説明および図示を省略又は簡略化する。
【０１８０】
ステップ１６０１〜ステップ１６０４は、実施の形態３に係るシステムの主な特徴であるタグ変数情報自動インポート機能に関する。
【０１８１】
ステップ１６０１において、タグ変数情報自動インポート手段１５１ｐは、ステップ７１７において生成されたタグ変数情報ファイルを取得する。例えば、タグ変数情報自動インポート手段１５１ｐは、タグ変数情報記憶手段６７ｄにタグ変数情報ファイルが記憶されているか否かを監視し、タグ変数情報ファイルが記憶されている場合にタグ変数情報ファイルを取得する。
【０１８２】
ステップ１６０２において、タグ変数情報自動インポート手段１５１ｐは、タグ変数情報ファイルをＨＭＩ装置２に伝送装置を介して送信する。ＨＭＩ装置２は、タグ変数情報ファイルを受信し、タグ変数情報記憶手段２１７ａ（図２）に記憶させる。ＨＭＩ装置２は、タグ変数情報記憶手段２１７ａがタグ変数情報ファイルを記憶したことを示すインポート確認信号を、タグ変数情報自動インポート手段１５１ｐに送信する。
【０１８３】
ステップ１６０３において、タグ変数情報自動インポート手段１５１ｐは、タグ変数情報の自動インポートが成功したか否かを判定する。具体的には、所定時間内にインポート確認信号を受信した場合には、自動インポートが成功したと判定し、ステップ１６０４の処理に進む。一方、所定時間内にインポート確認信号を受信できなかった場合には、自動インポートが失敗したと判定し処理を終了する。
【０１８４】
自動インポートが成功した場合には、ステップ１６０４において、タグ変数情報自動インポート手段１５１ｐは、タグ変数情報記憶手段６７ｄに記憶されたタグ変数情報ファイルを消去する。
【０１８５】
ステップ１６０５〜ステップ１６０８は、実施の形態３に係るシステムの主な特徴であるコントローラ変数情報自動インポート機能に関する。
【０１８６】
ステップ１６０５において、コントローラ変数情報自動インポート手段１５１ｑは、ステップ７１８において生成されたコントローラ変数情報ファイルを取得する。例えば、コントローラ変数情報自動インポート手段１５１ｑは、コントローラ変数情報記憶手段６７ｅにコントローラ変数情報ファイルが記憶されているか否かを監視し、コントローラ変数情報ファイルが記憶されている場合にコントローラ変数情報ファイルを取得する。
【０１８７】
ステップ１６０６において、コントローラ変数情報自動インポート手段１５１ｑは、コントローラ変数情報ファイルを制御装置３に伝送装置を介して送信する。制御装置３は、コントローラ変数情報ファイルを受信し、コントローラ変数情報記憶手段３１６ｂに記憶させる。制御装置３は、コントローラ変数情報記憶手段３１６ｂがコントローラ変数情報ファイルを記憶したことを示すインポート確認信号を、コントローラ変数情報自動インポート手段１５１ｑに送信する。
【０１８８】
ステップ１６０７において、コントローラ変数情報自動インポート手段１５１ｑは、コントローラ変数情報の自動インポートが成功したか否かを判定する。具体的には、所定時間内にインポート確認信号を受信した場合には、自動インポートが成功したと判定し、ステップ１６０８の処理に進む。一方、所定時間内にインポート確認信号を受信できなかった場合には、自動インポートが失敗したと判定し処理を終了する。
【０１８９】
自動インポートが成功した場合には、ステップ１６０８において、コントローラ変数情報自動インポート手段１５１ｑは、コントローラ変数情報記憶手段６７ｅに記憶されたコントローラ変数情報ファイルを消去して、次のインポートに備える。なお、自動インポートが失敗した場合には、記憶装置６７に記憶されたタグ変数情報ファイルやコントローラ変数情報ファイルは消去されないため、記憶媒体５を用いた各ファイルの反映を図ることができる。
【０１９０】
（効果）
以上説明したように、実施の形態３に係る用品情報追加登録装置６によれば、用品情報追加登録装置６が伝送装置を介してＨＭＩ装置や制御装置に接続されている場合に、タグ変数情報、コントローラ変数情報をＨＭＩ装置２や制御装置３に自動インポートすることができる。インポートが自動化されることにより、インポート漏れが防止され、品質向上効果、設計時間短縮効果が得られる。
【０１９１】
ところで、上述した実施の形態３のシステムにおいては、実施の形態１のシステムをベースとしているが、実施の形態２のシステムをベースとしてもよい。
【０１９２】
また、上述した実施の形態３のシステムにおいては、用品情報追加登録装置６は、伝送装置を介してＨＭＩ装置２と制御装置３の両方に接続されているが、いずれか一方に接続されている構成を除外するものではない。
【符号の説明】
【０１９３】
１  設計支援装置、  ２  ＨＭＩ装置、  ３  制御装置、  ４  ネットワーク、  ５  記憶媒体、  ６  用品情報追加登録装置、  １０  制御監視システム、  １１ａ  インタフェース情報生成手段、  １１ｂ  タグ変数情報生成手段、  １１ｃ  コントローラ変数情報生成手段、  １１ｄ  プラント制御管理仕様情報生成手段、  １１ｅ  コントローラ変数情報生成手段、  １２  メモリ、  １４  記憶媒体インタフェース部、  １５  入力部、  １６  出力部、  １７  ハードディスク、  １７ａ  プラント制御管理仕様情報記憶手段、  １７ｂ  タグ変数情報記憶手段、  １７ｃ  監視画面情報記憶手段、  １７ｄ  コントローラ変数情報記憶手段、  １８  プラント制御管理仕様情報データベース、  ６１ａ  既存情報抽出手段、  ６１ｂ  既存情報表示手段、  ６１ｃ  選択データ取込手段、  ６１ｄ  用品追加指示表示手段、  ６１ｅ  用品番号生成手段、  ６１ｆ  送受信アドレス生成手段、  ６１ｇ  インタフェース情報生成手段、  ６１ｈ  追加登録手段、  ６１ｉ  用品追加履歴表示手段、  ６１ｊ  タグ変数情報生成手段、  ６１ｋ  コントローラ変数情報生成手段、  ６１ｍ  プラント制御管理仕様情報貸出手段、  ６１ｎ  プラント制御管理仕様情報返却手段、  ６２  メモリ、  ６４  記憶媒体インタフェース部、  ６５  入力部、  ６６  出力部、  ６７  記憶装置、  ６７ａ  プラント制御管理仕様情報記憶手段、  ６７ｂ  用品追加指示記憶手段、  ６７ｃ  用品追加履歴記憶手段、  ６７ｄ  タグ変数情報記憶手段、  ６７ｅ  コントローラ変数情報記憶手段、  ８０  用品情報追加登録画面、  ９０  入力情報確認画面、  １１０  用品追加履歴画面、  １２１ｍ  プラント制御管理仕様情報貸出手段、  １２１ｎ  プラント制御管理仕様情報返却手段、  １５１ｐ  タグ変数情報自動インポート手段、  １５１ｑ  コントローラ変数情報自動インポート手段、  ２１２  メモリ、  ２１２ａ  操作信号記憶手段、  
２１２ｂ  表示信号記憶手段、  ２１３  ネットワークインタフェース部、  ２１４  記憶媒体インタフェース部、  ２１５  入力部、  ２１６  出力部、  ２１７  ハードディスク、  ２１７ａ  タグ変数情報記憶手段、  ２１７ｂ  監視画面情報記憶手段、  
２１７ｃ  プログラム記憶手段、  ３１２  メモリ、  ３１２ａ  操作信号記憶手段、  ３１２ｂ  表示信号記憶手段、  ３１３  ネットワークインタフェース部、  ３１４  記憶媒体インタフェース部、  ３１５  入出力インタフェース部、  ３１６  ハードディスク、  ３１６ａ  プログラム記憶手段、  ３１６ｂ  コントローラ変数情報記憶手段、  ８０１  画面番号選択部、  ８０２  用品種別選択部、  ８０３  コメント入力部、  ８０４  制御装置番号選択部、  ８０５  ＥＮＴＥＲボタン、  ９０１  画面番号、  ９０５  コメント、  ９１０  制御装置番号、  １００１  画面番号、  １００２  用品番号、  １００５  コメント、  １０１３  制御装置番号、  １０１４  送受信アドレス、  １０１５  信号名称、  １１１１  用品番号
【図１】
2015130060.tif 000003
【図２】
2015130060.tif 000004
【図３】
2015130060.tif 000005
【図４】
2015130060.tif 000006
【図５】
2015130060.tif 000007
【図６】
2015130060.tif 000008
【図７】
2015130060.tif 000009
【図８】
2015130060.tif 000010
【図９】
2015130060.tif 000011
【図１０】
2015130060.tif 000012
【図１１】
2015130060.tif 000013
【図１２】
2015130060.tif 000014
【図１３】
2015130060.tif 000015
【図１４】
2015130060.tif 000016
【図１５】
2015130060.tif 000017
【図１６】
2015130060.tif 000018